(57)【要約】本発明は、１つ以上のマッサージ運動体を有するマッサージユニットを備え、凭れ掛かる利用者の身体とマッサージユニットとの間に支持面を配置した形式のマッサージユニット付き家具に関する。マッサージ効果を改善して凭れ掛かりによって加えられる力にかかわりなく利用者に対するマッサージがマッサージユニットのいかなる移動位置でも過度に強いとも過度に弱いとも感じられないようにするため、マッサージ運動体（５）の移動領域にマッサージ運動体（５）に関して利用者の身体を背後から支承する支持部材（１０）が支持面（３）の利用者側とは反対側に配置され、支持部材（１０）は支持面（３）にほぼ直交する運動成分を生じるように深さ位置が調節可能とされている。
2005530530.tif 000002
【特許請求の範囲】
【請求項１】
少なくとも１つのマッサージ運動体を有するマッサージユニットを備え、凭れ掛かる利用者の身体とマッサージユニットとの間に支持面が配置されているマッサージユニット付き家具において、マッサージ運動体（５）の移動領域に該マッサージ運動体（５）に関して利用者の身体を背後から支承する支持部材（１０）が前記支持面（３）の利用者側とは反対側に配置され、該支持部材（１０）は支持面（３）にほぼ直交する運動成分を生じるように深さ位置が調節可能とされていることを特徴とするマッサージユニット付き家具。
【請求項２】
支持部材（１０）の深さ位置を調節する駆動ユニット（７）が設けられていることを特徴とする請求項１に記載の家具。
【請求項３】
駆動ユニット（７）が、支持面（３）にほぼ直交する運動面内にて支持部材（１０）を移動させるリニア駆動ユニットとして構成されていることを特徴とする請求項２に記載の家具。
【請求項４】
支持部材（１０）がほぼ支持面（３）に沿って延在する弓の形に構成され、該弓は支持部材（１０）の動きに適合された形態でベアリングに装着されていることを特徴とする請求項１〜３のいずれか１項に記載の家具。
【請求項５】
弓が一端部では駆動ユニット（７）に、他端部ではガイドロッド（８）にそれぞれ枢着されていることを特徴とする請求項４に記載の家具。
【請求項６】
支持部材（１０）が弾性材料からなることを特徴とする請求項４又は５に記載の家具。
【請求項７】
マッサージユニット（４）が水平に配置された複数のマッサージ運動体（５）を有し、これらマッサージ運動体の間に少なくとも１つの支持部材（１０）が各マッサージ運動体（５）から間隔をあけて配置されていることを特徴とする請求項１〜６のいずれか１項に記載の家具。
【請求項８】
支持部材（１０）がその支持面（３）に向き合う側の少なくとも１区画において湾曲形状に構成されていることを特徴とする請求項４〜７のいずれか１項に記載の家具。
【請求項９】
支持部材（１０）がベアリングに軸支された支持ローラとして構成されていることを特徴とする請求項１〜８のいずれか１項に記載の家具。
【請求項１０】
支持ローラが周面に弾性材料の層を有することを特徴とする請求項１１に記載の家具。
【請求項１１】
支持部材（１０）の支持面（３）とは反対側の面に隣接して、支持部材（１０）に対して平行移動して支持部材を支持する荷重支承エレメント（１３）が配置されていることを特徴とする請求項１〜８のいずれか１項に記載の家具。
【請求項１２】
荷重支承エレメント（１３）がベアリングに軸支されて支持部材（１０）に作用するローラの形態に構成されていることを特徴とする請求項１１に記載の家具。
【請求項１３】
荷重支承エレメント（１３）がマッサージユニット（４）に連結されて該マッサージユニットと共に移動可能とされていることを特徴とする請求項１１又は１２に記載の家具。
【請求項１４】
支持部材（１０）が支持面（３）に沿って可撓性をもって延在し且つその両端間で張架されていることを特徴とする請求項１に記載の家具。
【請求項１５】
支持部材（１０）が帯材状の緊締張力バーであることを特徴とする請求項１４に記載の家具。
【発明の詳細な説明】
【技術分野】
【０００１】
本発明は、少なくとも１つのマッサージ運動体を有するマッサージユニットを備え、凭れ掛かる利用者の身体とマッサージユニットとの間に支持面を配置した形式のマッサージユニット付き家具に関する。このような家具としては、例えば安楽椅子、寝椅子、ベッド或いはマットレスなどが挙げられる。
【背景技術】
【０００２】
この種のマッサージユニット付き家具は充分に知られており、マッサージユニットから叩打運動、回転運動及び／又は揉み運動による力を加えることによって家具上の利用者の身体をマッサージするのに供されている。この種のマッサージユニットを家具に装備することは例えば特許文献１〜３により公知である。この場合、マッサージユニットは、マッサージを受けるべき身体の部位によって決まる所定の移動経路に沿って運動可能となるように対応する家具に組み込まれている。
【特許文献１】独国実用新案出願公開第２９７０７５９６号明細書
【特許文献２】独国特許出願公開第１９５０５４４５号明細書
【特許文献３】独国実用新案出願公開第９４１９７４２号明細書
【０００３】
マッサージユニットを備えた公知の家具では、家具及びそのクッションに全体重又は体の一部で凭れている利用者は、場合により、特にマッサージが解剖学的理由で均一に行われないと、マッサージを不快なものと感じてしまうことがある。
【発明の開示】
【発明が解決しようとする課題】
【０００４】
従って本発明の課題は、マッサージ効果が改善されたマッサージユニット付き家具を開発して、凭れ掛かりによって加えられる力にかかわりなく利用者に対するマッサージがマッサージユニットのいかなる移動位置でも過度に強いとも過度に弱いとも感じられないようにすることである。
【課題を解決するための手段】
【０００５】
この課題は、本発明によれば、マッサージ運動体に対して利用者の身体を背後から支承する支持部材を支持面の利用者側とは反対側におけるマッサージ運動体の移動領域に配置し、支持面にほぼ直交する運動成分を生じるように支持部材を深さ位置調節可能とした構成を有する冒頭に記載した形式のマッサージユニット付き家具によって解決される。このようにして本発明による家具上でマッサージを受ける身体部分は最適かつ快適に支承され、マッサージユニットから加えられる力、従ってマッサージの有効性が制限されることはない。しかも、支持部材を設けたことにより、家具のクッション又は架枠による支持作用が不充分な場合でも、凭れかかる身体に対する支持作用の一部を本来のマッサージ用に設けられたマッサージユニットに負担させる必要性も回避される。
【０００６】
支持部材には、その深さ位置を調節するための駆動ユニットを設けることが好ましく、それにより個人的要求や好みに応じて厳密な支持位置の調整が家具利用者の側から行うことができるようになる。
【０００７】
この場合、駆動ユニットは支持面にほぼ直交する運動面内にて支持部材を移動させるリニア駆動ユニットとして構成されていることが好ましい。それにより、支持部材を駆動して適正な位置に正確に移動させ、マッサージ対象の身体部位に適した位置決めを行うと共に、その結果としてマッサージユニットに対向する身体部分に対して適正な圧力を付与して所要のマッサージ効果を加えることが簡単に確保される。このようにしてマッサージユニットは定常の意図した通りの効果を発揮し、家具の利用者の体重の一部に対して付加的に作用することがないので、利用者はマッサージを快適でリラックスなものと感じることになる。
【０００８】
リニア駆動ユニットの代わりに、例えば偏心子又はトグル機構の形態の好適な変換機構で回転運動を直線運動に変換することのできる回転駆動ユニットを採用することも同様に考慮に値する。
【０００９】
本発明の好適な一実施形態においては、支持部材は支持面にほぼ沿って延在する弓の形に構成され、この弓は支持部材の動きに適合された形態でベアリングに装着されている。従って最も単純な場合、支持面の背後に配置される棒材で弓が構成され、それを支承するベアリングが支持面に対して相対的な弓の運動を許容するものとすれば間に合う。但し、弓の造形に関しては、支持されるべき身体部分の解剖学的条件を当初から考慮に入れた湾曲形状としてもよい。
【００１０】
支持部材の運動機能を単純な手段で実現するため、１つの構成態様においては弓をその一端側の領域で駆動ユニットに、またその他端側の領域でガイドロッドにそれぞれ枢着してある。駆動ユニットによって弓を動かすと、駆動ユニット側に向いた弓の一端部は他端部に位置する支承点周りに運動を行い、この場合、弓の長さ部分が或る角度範囲に亘って掃引動作する。
【００１１】
この場合、更に支持部材は弾性材料で構成されていることが望ましい。即ち、支持部材は確かに身体部分を支えるのに役立つのではあるが、過度に剛性な支持は利用者の健康にむしろ害となる可能性があるので、支持部材は或る程度の可撓性を有するものとすることが望ましい。
【００１２】
本発明の特別な一実施形態では、利用者の身体部分の解剖学的条件に適合可能な可撓性帯材として弓を構成することも可能である。
【００１３】
各利用者の快適性を最適に保証するため、支持部材の長さを少なくともマッサージユニットの移動区間長と等しい寸法にすると特に有利である。これにより、マッサージユニットは或る部分的な特定領域だけでなく、マッサージするために移動可能なあらゆる箇所で支持部材により支承されることになる。例えば、スペース上の理由で支持部材を比較的短い長さ寸法にしたい場合、支持部材をマッサージユニットと共に支持面に沿って移動可能に構成してもよい。
【００１４】
本発明の別の一実施形態において、マッサージユニットは水平配置の複数のマッサージ運動体を有し、各マッサージ運動体の間にはマッサージ運動体から間隔をあけて少なくとも１つの支持部材が配置されていることが有利である。この場合、マッサージを受ける領域を最適に支持する意味で各２つのマッサージ運動体の間に１つずつ支持部材が配置される。各支持部材が支持面に沿って延在する弓である場合、マッサージユニットの各マッサージ運動体は弓に沿って移動される。
【００１５】
ある種の解剖学的条件を考慮にいれて、支持部材はその支持面に向き合う側の少なくとも１区画において湾曲形状に構成されていると有利なことがある。これは、例えば治療への応用（腰部サポート）の場合に考えられることである。
【００１６】
本発明の有利な一実施形態において、支持部材はベアリングに軸支された支持ローラとして構成してもよい。この場合、支持されるべき身体部分はマッサージが行われる領域で正確に支持され、このため、支持ローラはマッサージユニットの移動経路に沿って移動できるように設けられる。従って、支持ローラはその深さ位置調節用の駆動ユニットと共にマッサージユニットと一緒に最適に移動される。この場合、マッサージユニットと同期した支持ローラの動きはマッサージユニットの移動方向に実行され、これには付加的に支持面と直交する運動成分が組み合わされる。この利点として、支持部材はマッサージを受ける身体部分の何カ所かの窪みや隆起部に適応することができる。この２つの運動、即ちマッサージユニットの運動と支持部材の運動との組合せは、例えばマッサージを受ける身体部分の形状の測定データ又は入力データに基づいてマッサージユニットと支持部材の動きを同期制御する信号発生器及び／又はコンピュータプログラムによって電気的に処理することができる。また、例えばマッサージを受ける身体部分の表面をなぞって移動するバネ支承形式の測定輪又は測定ボールの形態の機械的信号発生器も利用でき、この信号発生器で計測される支持面に直角な運動成分は、例えば歯車伝動装置や偏心子等によりマッサージユニット及び／又は支持部材に伝達される。このようにして、マッサージユニット及び／又は支持部材の運動は例えば脊柱の湾曲に応じて同期的に制御することができる。
【００１７】
本発明の更に別の一実施形態では支持部材がスライダーの形態に構成され、このスライダーはその凸湾曲面側が支持面に沿って摺動可能に支持面に当接し、この場合の弓は好ましくは支持枠と平行な水平軸周りに枢動可能にベアリングで支承されている。本発明の別の一形態として、スライダーを付加的に支持枠と平行な縦軸周りに枢動可能に支承しておいてもよい。これは、例えば玉継手の形態で実施することができる。この場合、有利な点はスライダーと支持面との接触が比較的大きな面積で達成でき、これはスライダーの寸法で調整可能であり、またスライダーを枢動可能な構成としたことによりスライダーの傾きをマッサージを受ける身体領域の局所傾斜に適応させて調整できることである。
【００１８】
先に述べた支持ローラと同様に、スライダーも同様に最適な様式でマッサージユニットと同期運動可能に配置でき、この同期運動はマッサージユニットの移動経路に沿って、付加的な支持面に直角な運動成分を伴って実行することができる。このために、例えば支持面と直交する運動成分で移動可能なスライダーとマッサージユニットを共通の移動ベースに取付けてもよい。
【００１９】
前述した支持部材の可撓性に関連して、支持ローラはその周面に弾性材料の層を有することが有利である。これは、例えば発泡材料やその他の弾性材料で構成することができる。この弾性材料層を備えていれば、ローラ自体は剛性材料で構成してもよいが、全体が弾性材料からなるローラとしても良いことは述べるまでもない。
【００２０】
同様のことは支持部材を前述のスライダーとして構成した場合にも当てはまり、この場合は支持面に向き合う側のスライダー表面に、弾性材料層、更に要すれば利用者の皮膚に対する適合性を有する弾性材料層を設けておくとよい。
【００２１】
本発明の更に別の一実施形態では、支持部材の支持面とは反対側の面に隣接して、支持部材に対して平行移動して支持部材を支持する荷重支承エレメントが配置されている。支持部材、例えば弓、をフレキシブルに取り付けた場合、例えばローラで構成できる荷重支承エレメントはマッサージを受ける身体部分の領域で支持部材を支承する。この場合、深さ調節用の駆動ユニットは荷重支承エレメントに取付けられており、この荷重支承エレメントがフレキシブルに支持された支持部材を所要の位置にガイドする。荷重支承エレメントは複数のマッサージ運動体の間を介して支持部材に作用する。
【００２２】
本発明の特に有利な別の一実施形態においては、荷重支承エレメントはベアリングに軸支されて支持部材に作用するローラの形態に構成されている。この場合、荷重支承エレメントはその支承機能を失うことなく支持部材に沿って動くことができる。このローラは周溝を有することが特に好ましく、この周溝内で支持部材を案内し、換言すれば支持部材がこの周溝内を走行するようにする。この逆に支持部材に溝を設け、この溝内に荷重支承エレメントが係合して案内されるようにしてもよい。更にまた、荷重支承エレメントを別の仕方で支持部材と結合して最適なガイド機能が保証されるようにすることも考えられる。
【００２３】
同様に好ましい実施形態は、荷重支承エレメントを支持部材に沿ってガイドされる前述の形式のスライダーとして構成することである。この場合、既に述べたように支持部材は可撓性の帯材として構成されていることが好ましく、その支持面とは反対側の面にスライダーが移動可能に当接する。このスライダーは、前述のように少なくとも１つの軸周りの枢動を可能とするベアリングに取り付けておいてもよい。或る構成例では、スライダーは扁平化したマッシュルーム形状にすることができる。更に、帯材は支持面に向き合う側にクッションを有していてもよい。いずれも利用者にとっては快適感が得られるものである。
【００２４】
本発明の範疇には、一般に支持部材及び／又は荷重支承エレメントとマッサージユニットが、支持面と平行に延在し且つ支持面と直交する一平面内で互いに独立及び／又は互いに同期して移動できるように配置可能であることが包含される。複数のマッサージユニットを使用する場合、それらを互いに独立又は同期して、或いは支持部材及び／又は荷重支承エレメントに対して独立又は同期して運動できるように配置することができる。結果として、この運動はマッサージの種類又はマッサージを受ける身体部分の受動的な動き並びに身体部分の形状に適合するように最適に調整し制御することができる。
【００２５】
但し、この場合、荷重支承エレメントはマッサージユニットと連結して一緒に運動できるようにしておくことが好ましい。それにより、マッサージユニットの各マッサージ運動体が効果を発揮すべき身体部分の領域内において、駆動ユニットによって深さ調節可能な荷重支承エレメントにより支持部材を確実に支承することができる。
【００２６】
本発明の更に別の一実施形態によれば、支持部材及び／又は荷重支承エレメントは支持ローラ又はスライダーの形態で位置決め可能であると共に支持面に関してマッサージ運動体を超えて突出するように支持面と直交する運動成分を伴って移動可能である。マッサージ対象の身体部分に亘って支持部材及び／又は荷重支承エレメントを移動させると、その支持面に直角な運動成分により、身体部分は固有の身体運動をせずとも例えば脊柱の受動的な動きとして動かされることになる。
【００２７】
勿論、マッサージユニットに関連して支持部材及び／又は荷重支承エレメントを位置決めし、支持面に直交する運動成分を同期して付与することによって、使用者の身体部分を受動的に動かしてマッサージできるようにした組合せも採用可能である。
【００２８】
本発明の更に別の一実施形態では、支持部材が支持面に沿って可撓性をもって延在し且つその両端間で張架されている。これは、支えられた身体部分及び支持面によって画定された輪郭に支持部材が適合可能であることを意味する。この場合、支持部材はその両端間でブレースにより所要の支持作用に応じて弱く或いは強く張架されている。
【００２９】
本発明の有利な別の一実施形態においては、支持部材は特にフレキシブルに配置及び張架することのできる帯材状の緊締張力バーである。この帯材は例えば一対のローラでガイドしてもよく、その場合、少なくとも一方のローラで帯材を巻き取り、この巻き取りの繰り出しに応じて帯材の張力を緩め、或いは巻き込みによる緊張させる。この支持方式は、更に複数のセグメントに分けたクッションの膨張度合いを外部から調整操作可能とすることによっても達成可能である。
【００３０】
本発明の更に別の一実施形態においては、支持部材は網として構成され、この網の一方の面には支持面が当接し、他方の面にはマッサージユニットと他の支持部材及び／又は荷重支承エレメントが当接している。
【００３１】
本発明の幾つかの好適な実施形態を図面と共に詳述すれば以下の通りである。
【発明を実施するための最良の形態】
【００３２】
図１は本発明の第１実施形態によるマッサージユニット付き家具を示しており、この家具は座部と背凭れ２とを備えた安楽椅子１であり、利用者が着座している。利用者の背中が安楽椅子１の背凭れ２の支持面３に対面して凭れ掛かっており、安楽椅子１のマッサージユニット４のマッサージ運動体５によってマッサージ治療をすることができる。
【００３３】
安楽椅子１の背凭れ２内にはマッサージユニット４のガイドフレーム６が配置されており、このガイドフレームに沿ってマッサージユニット４は上側移動位置と下側移動位置との間の移動経路上を動くことができる。図１には、家具上に位置する身体の異なる領域のマッサージを行うためのマッサージ運動体５の２つの異なる位置が示してある。リニア駆動ユニット７はガイドフレーム６の上端側に進入した状態にあり、これがロッド８を駆動し、このロッドは滑接リンク継手９を介して支持部材１０を構成する弓の上端部に結合されている。弓の下端部には他の滑接リンク継手１１があり、これは剛性脚部１２を介してガイドフレーム６に向かって延在している。ロッド８が駆動ユニット７によって支持面３の方向に動かされると、支持部材１０は滑接リンク継手１１の周りで枢動運動を実行し、支持面３に凭れ掛かる身体部分は一層強く支持され、従っては単数又は複数のマッサージ運動体５から離れていく。これにより、マッサージを受ける身体部分に対するマッサージ運動体の効果が弱まり、支持部材の駆動方向が反転すると再び強まる。凭れ掛かる利用者は全体として駆動ユニット７を備えた支持部材１０により自己の希望するマッサージ運動体５の効果を個人的に調整することができる。
【００３４】
図２は本発明の第２実施形態によるマッサージユニット付き家具を示しており、基本的に安楽椅子１に凭れ掛かる身体の位置は図１の場合と同じである。図２において、安楽椅子１の背凭れ２はガイドフレーム６と支持面３との間に配置された支持部材１０をフレキシブルな弓の形態で備えている。この場合、支持部材１０自体は駆動ユニットを備えておらず、その両端部でガイドフレーム６の上端部及び下端部とピン結合されている。ほぼマッサージローラと同等の高さ位置に配置されたリニア駆動ユニットユニット７は支持面３に直交する運動成分でロッド８を駆動及びガイドする。ロッド８の自由端に配置された荷重支承エレメント１３は支持部材１０の支持面３とは反対側に支承作用を及ぼし、左右一対のマッサージ運動体５の間の空隙に入り込む。尚、図２ではマッサージ運動体は観察者に対面する側のものだけが見えている。また、荷重支承エレメント１３は支持部材１０の図２に現れていない案内溝内を走行するように支持部材と係合されている。荷重支承エレメント１３がフレキシブルな支持部材１０に作用することによって、支持部材は支持面３に向かって膨出するように湾曲する。駆動ユニット７はマッサージローラとして構成されたマッサージ運動体５と一緒に移動できるように配置され、支持部材１０がフレキシブルであるので、身体はマッサージが行われるべきまさにその領域で支持部材１０及び荷重支承エレメント１３によって支持される。図示の状態でマッサージ運動体５は伸長したロッド８とその支持作用によって弱いマッサージ効果を有するだけであり、このマッサージ効果は荷重支承エレメントを支持面から離反するように後退させると所望の通りに強めることができる。
【００３５】
図３に示す第３実施形態では、安楽椅子１の背凭れ２内に配置された支持部材１０自体がローラからなる。図示の状態は本質的には図２に示したものと同じであるが、駆動ユニット７によって駆動されるロッド８の自由端には荷重支承エレメント１３ではなく支持部材１０が配置されている点で異なっている。支持部材１０を構成するローラはその周面に弾性材料層１４を備えており、この弾性材量層が比較的大きな柔軟性を与えている。駆動ユニット７は図２の場合と同様にマッサージユニット４と一緒に移動できるように設けられており、この場合も、左右のマッサージ運動体５の間の空隙にはロッドと支持部材（ローラ）が入り込んでいる。
【００３６】
図３ａに示す第４実施形態は図２に示したものと更に合致している。但し、相違点として、荷重支承エレメント１３は枢動軸心Ａで水平軸周りに枢動可能に軸支されたスライダーとして構成されている。この場合、左右一対のマッサージ運動体５を備えたマッサージユニット４と荷重支承エレメント１３とは、両者を接近して図示したことで示唆しているように、ガイドフレーム６の展開面と平行な平面内で互いに同時に移動可能である。この目的で、スライダーとマッサージユニットを例えば図示しない共通の可動ベース上に共に取付けておいてもよい。この移動に加えて、駆動ユニット７によって略示したように、マッサージ運動体５とスライダー６との互いに独立した相対運動もできるようにしてあり、この付加的な運動が深さ調節のための支持面３に直交する運動成分を与える。
【００３７】
図３ａにおいて、スライダーは自身の偏心位置で枢動軸心Ａに軸支されている。勿論、スライダーの枢動を容易にすべくスライダーの重心位置でスライダーの軸支を行ってもよい。更に、図２の例とは異なり、支持部材１０はフレキシブルな帯材として構成されており、スライダーの凸湾曲面側が支持面とは反対側に向いている帯材の背面に相対摺動可能に当接している。尚、図示していないが、フレキシブル帯材はその支持面側にの表面に利用者を快適にするためのクッションを備えていてもよい。
【００３８】
図４は図１に示した実施形態に対応する家具を別の状態で示している。この場合、背凭れ２は安楽椅子１の座面に対して椅子に横たわる利用者の身体がほぼ平行な仰向けの状態となるように回動されている。この状態においては、背凭れを立てた状態のときには単に背凭れに凭れ掛かっていただけの利用者の体重の殆どが支持面３に加わることになる。家具がこの状態の荷重を担っているときにも所望の身体部位に対してマッサージユニット４により効果的で快適なマッサージを保証できるように、先に図１に示したように帯板の形態の支持部材１０による支持作用が利用されている。この場合、駆動ユニット７で駆動される支持部材の位置は利用者が個人的に調節することができ、それによりマッサージユニット４の各マッサージ運動体５がマッサージ対象のあらゆる領域で所要のマッサージ効果を正確に発揮できることになる。
【００３９】
最後に図５は本発明に係る家具の更に別の実施形態を示しており、この場合、支持部材１０は前述の各例をは異なる構成となっている。この図において、図１〜図４に示した例と同様に家具の利用者は着座姿勢で支持面３に凭れ掛かっている。但し、図５の例では支持面３の利用者側とは反対側の位置に支持部材１０として帯材１４が配置され、この帯材はガイドフレーム６の上端部と下端部との間に延在配置されている。この帯材１４は、ガイドフレーム６の下端部近傍における下側固定点から始まってガイドローラ１５の周面上を巡り、支持面３とほぼ平行に沿って上方へ延在してガイドフレーム６の上端部近傍に配置された巻取ローラに巻回されて終端している。この終端では帯材１４は巻き取りローラに固着され、従って帯材１４は巻取ローラ１６がその回転軸周りに回転されるとその回転方向に応じて巻き取られたり繰り出されたりし、それによって帯材を緊張又は弛緩させて帯材の張力を利用者が随意に増減調節できるようになっている。図示の状態においては、帯材１４が強く緊張されているので、マッサージユニット４はそのマッサージ運動体５で比較的弱いマッサージ効果を生じている。
【図面の簡単な説明】
【００４０】
【図１】駆動ユニットを有する弓状の支持部材を配置した本発明の第１実施形態によるマッサージユニット付き家具の構成を略示する説明図である。
【図２】弓状の支持部材と荷重支承エレメントとを有する本発明の第２実施形態によるマッサージユニット付き家具の構成を略示する説明図である。
【図３】支持部材をローラの形態とした本発明の第３実施形態によるマッサージユニット付き家具の構成を略示する説明図である。
【図３ａ】荷重支承エレメントをスライダーの形態とした本発明の第４実施形態によるマッサージユニット付き家具の構成を略示する説明図である。
【図４】図１に示した実施形態の家具を別の状態で示す説明図である。
【図５】支持部材を帯材状の緊締バーによって構成した本発明の第５実施形態によるマッサージユニット付き家具の構成を略示する説明図である。
【符号の説明】
【００４１】
１：椅子
２：背凭れ
３：支持面
４：マッサージユニット
５：マッサージ運動体
６：ガイドフレーム
７：駆動ユニット
８：ロッド
９：滑接リンク継手
１０：支持部材
１１：滑接リンク継手
１２：脚部
１３：荷重支承エレメント
１４：帯材
１５：ガイドローラ
１６：巻取ローラ
Ａ：枢動軸心
【図１】
2005530530.tif 000003
【図２】
2005530530.tif 000004
【図３】
2005530530.tif 000005
2005530530.tif 000006
【図４】
2005530530.tif 000007
【図５】
2005530530.tif 000008
【手続補正書】
【提出日】平成16年5月22日(2004.5.22)
【手続補正１】
【補正対象書類名】特許請求の範囲
【補正対象項目名】請求項１
【補正方法】変更
【補正の内容】
【請求項１】
少なくとも１つのマッサージ運動体を有するマッサージユニットを備え、凭れ掛かる利用者の身体とマッサージユニットとの間に支持面が配置されているマッサージユニット付き家具において、マッサージ運動体（５）の移動領域に該マッサージ運動体（５）に関して利用者の身体を背後から支承する付加的な支持部材（１０）が前記支持面（３）の利用者側とは反対側に配置され、該支持部材（１０）は支持面（３）にほぼ直交する運動成分を生じるように深さ位置が調節可能とされていることを特徴とするマッサージユニット付き家具。
【国際調査報告】
2005530530.tif 000009
2005530530.tif 000010
2005530530.tif 000011
2005530530.tif 000012
2005530530.tif 000013
2005530530.tif 000014